(57)【要約】【課題】特定の放送局又はチャンネルのテレビジョン放送を視聴できないようにすることができるようにする。【解決手段】  受信可能なテレビジョン放送のうちの特定の放送局又はチャンネルを選択して視聴回避の設定をする視聴回避設定回路９を設け、その視聴回避設定回路９は、受信したテレビジョン放送の選局回路５〜８と、その選局回路５〜８で選局されたチャンネルの受信信号を復調する復調回路１０との間に介挿され、視聴回避が設定されたチャンネルの受信信号が復調回路へ送出されないようにするゲート回路又はスイッチ回路を有する。【選択図】        図１
0003138691.tif 000002
【実用新案登録請求の範囲】
【請求項１】
テレビジョン放送受信装置において、受信可能なテレビジョン放送のうち特定の放送局又はチャンネルを選択して視聴回避の設定をする視聴回避設定回路を設けたことを特徴とするテレビジョン放送受信装置。
【請求項２】
前記視聴回避設定回路は、受信したテレビジョン放送の選局回路と、その選局回路で選局されたチャンネルの受信信号を復調する復調回路との間に介挿され、視聴回避が設定されたチャンネルの受信信号が前記復調回路へ送出されないようにするゲート回路又はスイッチ回路を有することを特徴とする請求項１に記載のテレビジョン放送受信装置。
【請求項３】
前記視聴回避設定回路は、前記選局回路で選局される各チャンネルの受信信号を個別に入力する複数のアナログゲート回路と、その各アナログゲート回路のＯＮ／ＯＦＦを個々に制御する複数の不揮発性のＳＲ回路と、その各ＳＲ回路を個々にセットするための複数のディップスイッチ及び、一度にリセットするためのリセットスイッチと、前記各アナログゲート回路から出力される受信信号を復調回路へ送る出力回路とからなり、
初期状態では前記各ＳＲ回路が全てリセット状態で前記各アナログゲートは全てＯＮ状態になっており、前記ＳＲ回路がセットされたときにそのＳＲ回路によって制御されるアナログゲート回路のみがＯＦＦ状態になり、電源がＯＦＦになってもその状態を保持することを特徴とする請求項２に記載のテレビジョン放送受信装置。
【請求項４】
前記リセットスイッチは、複数のボタンを特定の順序及び回数で操作するか又は特定の鍵を使用しないとリセット操作できないスイッチであることを特徴とする請求項３に記載のテレビジョン放送受信装置。
【考案の詳細な説明】
【技術分野】
【０００１】
この考案は、各種のテレビジョン受像機、テレビジョン機能を内蔵するかアダプタとして外部に設けたパーソナルコンピュータ、テレビジョン機能付き携帯電話や携帯端末などの、テレビジョン放送を受信できるあらゆる装置（「テレビジョン放送受信装置」と称す）に関する。
【背景技術】
【０００２】
従来のテレビジョン受像機等のテレビジョン放送受信装置は、一般にそれを使用する地域に放送されている受信可能な種類の全てのテレビジョン放送、すなわち各放送局のテレビジョン放送の放送番組を、選局操作（チャンネル切り換え操作）により任意に選択して視聴することができるようになっている。
【考案の開示】
【考案が解決しようとする課題】
【０００３】
しかし、成人向けプログラムなど青少年に有害になる放送番組や、宗教・信条や価値観などの相違に対して配慮されていない放送番組等を放送するテレビジョン放送局のチャンネルについては、その視聴を回避できるようにすることが望まれる。そのような場合、従来は、子供に見せたくない番組を視聴させないように親などがテレビジョン受像機を管理したり、番組を視聴し始めてから好ましくない内容だった場合に、他のチャンネルに切り替えるか受像機の電源を切るなどの操作をしなければならなかった。
あるいは、有料の放送局のテレビジョン放送は受信せずに、受信料も支払いたくない場合があるが、従来は、例えその放送局のテレビジョン放送の番組を実際には視聴しなくても、視聴可能であるため視聴しないことを証明できず、受信料が免除されないという問題があった。
【０００４】
この考案は、上記のような問題を解決するためになされたものであり、特定の放送局又はチャンネルのテレビジョン放送を視聴できないようにすることができるテレビジョン放送受信装置を提供することを目的とする。
【課題を解決するための手段】
【０００５】
この考案は上記の目的を達成するため、テレビジョン放送受信装置において、受信可能なテレビジョン放送のうち特定の放送局又はチャンネルを選択して視聴回避の設定をする視聴回避設定回路を設けたものである。
その視聴回避設定回路は、受信したテレビジョン放送の選局回路と、その選局回路で選局されたチャンネルの受信信号を復調する復調回路との間に介挿され、視聴回避が設定されたチャンネルの受信信号が復調回路へ送出されないようにするゲート回路又はスイッチ回路を有するとよい。
【０００６】
さらに、その視聴回避設定回路は、上記選局回路で選局される各チャンネルの受信信号を個別に入力する複数のアナログゲート回路と、その各アナログゲート回路のＯＮ／ＯＦＦを個々に制御する複数の不揮発性のＳＲ回路と、その各ＳＲ回路を個々にセットするための複数のディップスイッチ及び、一度にリセットするためのリセットスイッチと、上記各アナログゲート回路から出力される受信信号を復調回路へ送る出力回路とによって構成し、初期状態では上記各ＳＲ回路が全てリセット状態で上記各アナログゲートは全てＯＮ状態になっており、ＳＲ回路がセットされたときにそのＳＲ回路によって制御されるアナログゲート回路のみがＯＦＦ状態になり、電源がＯＦＦになってもその状態を保持するようにすることができる。
【０００７】
上記リセットスイッチは、複数のボタンを特定の順序及び回数で操作するか又は特定の鍵を使用しないとリセット操作できないスイッチにするのが望ましい。
【考案の効果】
【０００８】
この考案によるテレビジョン放送受信装置よれば、幼児、児童、生徒など未成年者に有害な放送番組、あるいは視聴を希望しない放送番組を放送する放送局（チャンネル）のテレビジョン放送に対して、視聴回避の設定をすることができるので、その映像及び音声の視聴を確実に回避することができる。また、特定の放送局のテレビジョン放送に対して視聴回避の設定をしておけば、その放送局のテレビジョン放送を視聴しないことを証明して、受信料の支払いを不要にすることも可能になる。
【考案を実施するための最良の形態】
【０００９】
以下、この考案を実施するための最良の形態を図面に基いて説明する。
図１はこの考案によるテレビジョン放送受信装置の一実施形態の構成を示すブロック図、図２〜図５はその各選局回路に対する視聴回避設定回路の具体的な構成例を示す回路図である。
図１に示すテレビジョン放送受信装置は、ＶＨＦ周波数帯放送局、ＵＨＦ周波数帯放送局、ＢＳ／ＣＳ周波数帯で放送する放送局、およびケーブルテレビジョン放送事業者が放送する放送局のいずれのテレビジョン放送も受信して視聴可能なテレビジョン放送受信装置である。
【００１０】
そのため、ＶＨＦ帯放送用のＶＨＦアンテナ接続端子Ｔ１とＶＨＦ帯放送受信回路１とＶＨＦ帯放送選局回路５、ＵＨＦ帯放送用のＵＨＦアンテナ接続端子Ｔ２とＵＨＦ帯放送受信回路２とＵＨＦ帯放送選局回路６、ＢＳ／ＣＳ帯放送用のＢＳ／ＣＳアンテナ接続端子Ｔ３とＢＳ／ＣＳ帯放送受信回路３とＢＳ／ＣＳ帯放送選局回路７、およびケーブルテレビ用の伝送ケーブル接続端子Ｔ４とケーブルＴＶ放送受信回路４とケーブルＴＶ放送選局回路８を備え、さらに、この発明による視聴回避設定回路９と、従来と同様な復調回路１０、音声装置１１、文字表示装置１２、および映像表示装置１３とを備えている。
【００１１】
ＶＨＦアンテナからのＶＨＦ帯テレビジョン放送の電波は、ＶＨＦ帯放送受信回路１で受信してＶＨＦ帯放送選局回路５で選局する。ＵＨＦアンテナからのＵＨＦ帯テレビジョン放送の電波は、ＵＨＦ帯放送受信回路２で受信してＵＨＦ帯放送選局回路６で選局する。ＢＳ／ＣＳアンテナからのＢＳ／ＣＳ帯テレビジョン放送の電波は、ＢＳ／ＣＳ帯放送受信回路３で受信してＢＳ／ＣＳ帯放送選局回路７で選局する。ケーブルテレビ用の伝送ケーブルからのケーブルテレビ放送のテレビジョン信号は、ケーブルＴＶ放送受信回路４で受信してケーブルＴＶ放送選局回路８で選局する。これらの選局はチャンネル切り替えダイヤル又はスイッチ、あるいはリモートコントロールユニットの操作に応じてなされる。
【００１２】
そして、ＶＨＦ帯放送選局回路５、ＵＨＦ帯放送選局回路６、ＢＳ／ＣＳ帯放送選局回路７、およびケーブルＴＶ放送選局回路８で、それぞれ選局したチャンネルのテレビジョン信号が復調回路に入力し、そこで復調して分離および増幅その他必要な処理を施して、音声信号は音声装置１１へ送ってスピーカから音声を出力する。文字データは文字表示装置へ、映像信号は映像表示装置へそれぞれ送り、ＣＲＴ、液晶ディスプレイ、プラズマディスプレイ等の表示画面に、文字及び映像を表示する。なお、実際にはこれらの各回路が同時に動作することは無く、ユーザによって選択された種類のテレビジョン放送を受信して出力するのに必要な回路だけが動作する。
これらの各回路およびその各機能等は全て公知技術であるから、それらの詳細な説明は省略する。
【００１３】
視聴回避設定回路９がこの発明に特有の回路であり、ＶＨＦ帯放送選局回路５、ＵＨＦ帯放送選局回路６、ＢＳ／ＣＳ帯放送選局回路７、およびケーブルＴＶ放送選局回路８における、それぞれ特定の放送局のチャンネルの受信信号を出力できないように予め視聴回避の設定することができる。
図１では、この視聴回避設定回路９が、ＶＨＦ帯放送選局回路５、ＵＨＦ帯放送選局回路6、ＢＳ／ＣＳ帯放送選局回路７、およびケーブルＴＶ放送選局回路８に制御信号を送るように示されているが、具体的な実施例では、図２〜図５に示すように各選局回路５〜８の各チャンネルの受信信号出力線と復調回路１０との間に介挿されている。
【００１４】
図２は、図１における視聴回避設定回路９内のＶＨＦ帯放送に対する視聴回避設定回路の具体的な構成例を示す回路図である。
ＶＨＦ周波数帯放送局による９０〜１０８ＭＨｚ（チャンネルＮｏ．１〜３）及び１７０〜２２２ＭＨｚ（チャンネルＮｏ．４〜１２）のテレビジョン放送の電波をＶＨＦアンテナ２１で捉え、ＶＨＦ帯放送受信回路１で受信してＶＨＦ帯放送選局回路５で選局する。そして、１〜１２の各チャンネル（図２では代表して１，４，８，１２チャンネルのみを示している）の選局された受信信号を、視聴回避設定回路９Ａを介して復調回路１０へ送る。
【００１５】
その視聴回避設定回路９Ａは、ＶＨＦ帯放送選局回路５から出力される各チャンネルの受信信号を入力するアナログゲート回路Ｇ１０〜Ｇ１３と、そのＯＮ／ＯＦＦを制御する不揮発性のＳＲ（セット・リセット）回路Ｍ１０〜Ｍ１３と、その各ＳＲ回路Ｍ１０〜Ｍ１３を個々にセットするためのディップスイッチＳ１０〜Ｓ１３及び、一度にリセットするためのリセットスイッチＳ１４と、各アナログゲート回路Ｇ１０〜Ｇ１３から出力される受信信号を復調回路１０へ送る出力回路３１とからなる。
実際には、１〜１２の各チャンネルの受信信号出力ラインに対して全て、アナログゲート回路、不揮発性のＳＲ回路、およびそれを個々にセットするためのディップスイッチを設ける。
【００１６】
ＳＲ回路Ｍ１０〜Ｍ１３は、初期には全てリセット状態でリセット側Ｒの出力が“１” になっており、各アナログゲート回路Ｇ１０〜Ｇ１３を全てＯＮにしている。そのため、ＶＨＦ帯放送選局回路５で選局されたどのチャンネルの受信信号も、アナログゲート回路Ｇ１０〜Ｇ１３のいずれかを通過して、出力回路３１から復調回路１０へ送出される。各チャンネルの受信信号は一度に一つのチャンネルしか選局できないので、出力回路３１は各アナログゲート回路Ｇ１０〜Ｇ１３の出力線を接続してまとめるだけでも、複数のチャンネルの受信信号が混合されることはない。
【００１７】
そして、視聴を回避したいチャンネルに対応するディップスイッチ（Ｓ１０〜Ｓ１３のいずれか）を操作すると、対応するＳＲ回路（Ｍ１０〜Ｍ１３のいずれか）がセット状態となり、リセット側Ｒの出力が“０” になるため、対応する各アナログゲート回路（Ｇ１０〜Ｇ１３のいずれか）がＯＦＦになり、そのチャンネル（放送局）の受信信号を出力しなくなる。
これが、視聴回避を設定した状態である。複数のディップスイッチを操作して、複数のチャンネルの視聴回避を任意に設定することができる。すると、ＶＨＦ帯放送選局回路５でその視聴回避が設定されたチャンネルが選局されても、そのチャンネルの受信信号は復調回路１０へ送出されないので、その放送番組の音声や映像が出力されることはない。
【００１８】
その後、この視聴回避を設定したチャンネルのディップスイッチをどのように操作しても、対応するＳＲ回路をリセット状態に戻すことはできず、このテレビジョン放送受信装置の電源をＯＦＦにしてもＳＲ回路の状態は保持されるため、視聴回避の設定が解除されることはない。
したがって、幼児、児童、生徒など未成年者に有害な放送番組、あるいは視聴を希望しない放送番組を放送する放送局（チャンネル）のテレビジョン放送に対して、視聴回避の設定をすることによって、その映像や音声の視聴を確実に回避することができる。また、特定の放送局のテレビジョン放送に対して視聴回避の設定をしておけば、その放送局のテレビジョン放送を視聴しないことを証明して、受信料の支払いを不要にすることも可能になる。
【００１９】
視聴回避の設定を解除するには、リセットスイッチＳ１４を操作し、ＳＲ回路Ｍ１０〜Ｍ１３を全てリセットして初期状態に戻さなければならないが、このリセットスイッチＳ１４は、複数のボタンを特定の順序及び回数（暗証番号に相当）で操作した場合や、あるいは特定の鍵を使用しないとリセット操作できないようにしておくことができる。それにより、未成年者等が視聴回避の設定を容易に解除して有害な放送番組を視聴したり、ある有料のチャンネルに視聴回避の設定をして、その放送局の放送は視聴しない（契約をしない）ことにした後、勝手にそれを解除してそのチャンネルの放送番組を視聴するようなことを防ぐことができる。
【００２０】
図３は、図１における視聴回避設定回路９内のＵＨＦ帯放送に対する視聴回避設定回路の具体的な構成例を示す回路図である。
ＵＨＦ周波数帯放送局、即ち４７０〜７７０ＭＨｚ（チャンネルＮｏ．１３〜６２）のテレビジョン放送の電波をＵＨＦアンテナ２２で捉え、ＵＨＦ帯放送受信回路２で受信してＵＨＦ帯放送選局回路６で選局する。そして、１３〜６２の各チャンネル（図３では代表して１３，２２，３２，４２，５２，６２チャンネルのみを示している）の選局された受信信号を、視聴回避設定回路９Ｂを介して復調回路１０へ送る。
【００２１】
その視聴回避設定回路９Ｂは、ＵＨＦ帯放送選局回路６から出力される各チャンネルの受信信号を入力するアナログゲート回路Ｇ２０〜Ｇ２５と、そのＯＮ／ＯＦＦを制御する不揮発性のＳＲ回路Ｍ２０〜Ｍ２５と、その各ＳＲ回路Ｍ２０〜Ｍ２５を個々にセットするためのディップスイッチＳ２０〜Ｓ２５及び、一度にリセットするためのリセットスイッチＳ２６と、各アナログゲート回路Ｇ２０〜Ｇ２５から出力される受信信号を復調回路１０へ送る出力回路３２とからなる。
【００２２】
実際には、１３〜６２の各チャンネルの受信信号出力ラインに対して全て、アナログゲート回路、不揮発性のＳＲ回路、およびそれを個々にセットするためのディップスイッチを設ける。
ＳＲ回路Ｍ２０〜Ｍ２５は、初期には全てリセット状態でリセット側Ｒの出力が“１” になっており、各アナログゲート回路Ｇ２０〜Ｇ２５を全てＯＮにしている。そのため、ＵＨＦ帯放送選局回路６で選局されたどのチャンネルの受信信号も、アナログゲート回路を通過して、出力回路３２から復調回路１０へ送出される。
【００２３】
そして、視聴を回避したいチャンネルに対応するディップスイッチ（Ｓ２０〜Ｓ２５のいずれか）を操作すると、対応するＳＲ回路（Ｍ２０〜Ｍ２５のいずれか）がセット状態となり、リセット側Ｒの出力が“０” になるため、対応する各アナログゲート回路（Ｇ２０〜Ｇ２５のいずれか）がＯＦＦになり、そのチャンネル（放送局）の受信信号を出力しなくなる。これが、視聴回避を設定した状態である。複数のディップスイッチを操作して、複数のチャンネルの視聴回避を任意に設定することができる。すると、ＵＨＦ帯放送選局回路６でその視聴回避が設定されたチャンネルが選局されても、そのチャンネルの受信信号は復調回路１０へ送出されないので、その放送番組の音声や映像が出力されることはない。
【００２４】
その後、この視聴回避を設定したチャンネルのディップスイッチをどのように操作しても、対応するＳＲ回路をリセット状態に戻すことはできず、このテレビジョン放送受信装置の電源をＯＦＦにしてもＳＲ回路の状態は保持されるため、視聴回避の設定が解除されることはない。
この場合の効果等は、前述したＶＨＦ帯放送に対する視聴回避設定回路９Ａによる効果と同様であるから、説明を省略する。
【００２５】
視聴回避の設定を解除するには、リセットスイッチＳ２６を操作し、ＳＲ回路Ｍ２０〜Ｍ２５を全てリセットして初期状態に戻さなければならないが、このリセットスイッチＳ２６は、前述した図２のリセットスイッチ１４と同様に、複数のボタンを特定の順序及び回数（暗証番号に相当）で操作した場合や、あるいは特定の鍵を使用しないとリセット操作できないようにしておくことができる。その理由は前述の場合と同じである。
【００２６】
図４は、図１における視聴回避設定回路９内のＢＳ／ＣＳ帯放送に対する視聴回避設定回路の具体的な構成例を示す回路図である。
ＢＳ／ＣＳ周波数帯の衛星テレビジョン放送の電波をＢＳ／ＣＳアンテナ２３で捉え、ＢＳ／ＣＳ帯放送受信回路３で受信してＢＳ／ＣＳ帯放送選局回路７で選局する。そして、ＢＳ１〜ＢＳ２３およびＣＳ１〜ＣＳ２３の各チャンネル（図４では代表してＢＳ１，７，１３，１９，２３チャンネルと、ＣＳ１，７，１３，１９，２３チャンネルのみを示している）の選局された受信信号を、視聴回避設定回路９Ｃを介して復調回路１０へ送る。
【００２７】
その視聴回避設定回路９Ｃは、ＢＳ／ＣＳ帯放送選局回路７から出力される各チャンネルの受信信号を入力するアナログゲート回路Ｇ３０〜Ｇ３９と、そのＯＮ／ＯＦＦを制御する不揮発性のＳＲ回路Ｍ３０〜Ｍ３９と、その各ＳＲ回路Ｍ３０〜Ｍ３９を個々にセットするためのディップスイッチＳ３０〜Ｓ３９及び、一度にリセットするためのリセットスイッチＳ３Ｒと、各アナログゲート回路Ｇ３０〜Ｇ３９から出力される受信信号を復調回路１０へ送る出力回路３３とからなる。
【００２８】
実際には、ＢＳ１〜ＢＳ２３およびＣＳ１〜ＣＳ２３の各チャンネルの受信信号出力ラインに対して全て、アナログゲート回路、不揮発性のＳＲ回路、およびそれを個々にセットするためのディップスイッチを設ける。
ＳＲ回路Ｍ３０〜Ｍ３９は、初期には全てリセット状態でリセット側Ｒの出力が“１” になっており、各アナログゲート回路Ｇ３０〜Ｇ３９を全てＯＮにしている。そのため、ＢＳ／ＣＳ帯放送選局回路７で選局されたどのチャンネルの受信信号も、アナログゲート回路を通過して、出力回路３３から復調回路１０へ送出される。
【００２９】
そして、視聴を回避したいチャンネルに対応するディップスイッチ（Ｓ３０〜Ｓ３９のいずれか）を操作すると、対応するＳＲ回路（Ｍ３０〜Ｍ３９のいずれか）がセット状態となり、リセット側Ｒの出力が“０” になるため、対応する各アナログゲート回路（Ｇ３０〜Ｇ３９のいずれか）がＯＦＦになり、そのチャンネル（放送局）の受信信号を出力しなくなる。これが、視聴回避を設定した状態である。複数のディップスイッチを操作して、複数のチャンネルの視聴回避を任意に設定することができる。
【００３０】
すると、ＢＳ／ＣＳ帯放送選局回路７でその視聴回避が設定されたチャンネルが選局されても、そのチャンネルの受信信号は復調回路１０へ送出されないので、その放送番組の音声や映像が出力されることはない。
この視聴回避設定回路９Ｃを設けたことによる効果や、その視聴回避の設定状態の保持、およびリセットスイッチＳ３Ｒの操作による設定解除などに関しては、前述した視聴回避設定回路９Ａ，９Ｂの場合と同様であるから、その説明を省略する。
【００３１】
図５は、図１における視聴回避設定回路９内のケーブルＴＶ放送に対する視聴回避設定回路の具体的な構成例を示す回路図である。
ケーブルテレビジョン放送事業者が放送する放送局からのテレビジョン信号は、伝送ケーブル２４によって伝送される。それをケーブルＴＶ放送受信回路４で受信してケーブルＴＶ放送選局回路８で選局する。なお、ケーブルＴＶ放送のチャンネルは、放送事業者によって異なるが、ここでは仮にチャンネルＡ〜Ｊとした。ケーブルＴＶ放送選局回路８で選局されたいずれかのチャンネルの受信信号を、視聴回避設定回路９Ｄを介して復調回路１０へ送る。
【００３２】
その視聴回避設定回路９Ｄは、ケーブルＴＶ放送選局回路８から出力される各チャンネルの受信信号を入力するアナログゲート回路Ｇ４０〜Ｇ４９と、そのＯＮ／ＯＦＦを制御する不揮発性のＳＲ回路Ｍ４０〜Ｍ４９と、その各ＳＲ回路Ｍ４３０〜Ｍ４９を個々にセットするためのディップスイッチＳ４０〜Ｓ４９及び、一度にリセットするためのリセットスイッチＳ４Ｒと、各アナログゲート回路Ｇ４０〜Ｇ４９から出力される受信信号を復調回路１０へ送る出力回路３４とからなる。
【００３３】
ＳＲ回路Ｍ４０〜Ｍ４９は、初期には全てリセット状態でリセット側Ｒの出力が“１” になっており、各アナログゲート回路Ｇ４０〜Ｇ４９を全てＯＮにしている。そのため、ケーブルＴＶ放送選局回路８で選局されたどのチャンネルの受信信号も、アナログゲート回路を通過して、出力回路３４から復調回路１０へ送出される。
【００３４】
そして、視聴を回避したいチャンネルに対応するディップスイッチ（Ｓ４０〜Ｓ４９のいずれか）を操作すると、対応するＳＲ回路（Ｍ４０〜Ｍ４９のいずれか）がセット状態となり、リセット側Ｒの出力が“０” になるため、対応する各アナログゲート回路（Ｇ４０〜Ｇ４９のいずれか）がＯＦＦになり、そのチャンネル（放送局）の受信信号を出力しなくなる。これが、視聴回避を設定した状態である。複数のディップスイッチを操作して、複数のチャンネルの視聴回避を任意に設定することができる。
【００３５】
すると、ケーブルＴＶ放送選局回路８でその視聴回避が設定されたチャンネルが選局されても、そのチャンネルの受信信号は復調回路１０へ送出されないので、その放送番組の音声や映像が出力されることはない。
この視聴回避設定回路９Ｄを設けたことによる効果や、その視聴回避の設定状態の保持、およびリセットスイッチＳ４Ｒの操作による設定解除などに関しては、前述した、視聴回避設定回路９Ａ，９Ｂの場合と同様であるから、その説明を省略する。
【００３６】
上述した実施例のテレビジョン放送受信装置は、ＶＨＦ周波数帯放送、ＵＨＦ周波数帯放送、ＢＳ／ＣＳ周波数帯放送、およびケーブルテレビジョン放送の全てのテレビジョン放送を受信するための回路およびそれらの任意のチャンネルの視聴回避を設定するための回路を備えているが、それらのいずれか一種類のテレビジョン放送を受信するための回路およびその任意のチャンネルの視聴回避を設定するための回路だけを備えてもよいし、複数種類のテレビジョン放送を受信するための回路およびそれらの任意のチャンネルの視聴回避を設定するための回路だけを備えてもよいことは勿論である。
【００３７】
上記ディップスイッチに代えて他のスイッチやキー、センサ等のセット信号発生手段を用いてもよい。リセットスイッチも、各種のスイッチやキー、センサ等のリセット信号発生手段を用いてもよい。あるいは、１個の設定用スイッチと、チャンネル選択用の各スイッチとの組み合わせによって、視聴回避用のセット信号発生手段の機能を持たせるようにすることもできる。
また、ＳＲ回路がセットされたときにアナログゲート回路がＯＮになり、リセットされたときにアナログゲート回路がＯＦＦになるようにして、各ＳＲ回路をリセットするリセット信号発生手段を各チャンネルごとに設け、セット信号発生手段を各ＳＲ回路に対して共通に設けるようにしてもよい。
【００３８】
あるいはまた、アナログゲート回路に代えて、各チャンネルごとに記憶型のスイッチ回路を設け、それを直接ＯＮ／ＯＦＦ制御し、初期状態ではそのスイッチ回路が全てＯＮ状態になっており、ＯＦＦ信号を入力するとそのスイッチ回路のみがＯＦＦ状態になってその状態を保持し、特殊な操作や暗証コードが入力されたときのみＯＮ状態に戻るようにしてもよい。
【産業上の利用可能性】
【００３９】
この考案によるテレビジョン放送受信装置は、液晶ディスプレイやプラズマディスプレイを用いたハイビジョンテレビを含む各種のテレビジョン受像機、テレビジョン機能を内蔵するかアダプタとして外部に設けたパーソナルコンピュータ、テレビジョン機能付き携帯電話や携帯端末など、テレビジョン放送を受信できるあらゆる装置に適用できる。
【図面の簡単な説明】
【００４０】
【図１】この考案によるテレビジョン放送受信装置の一実施形態の構成を示すブロック図である。
【図２】図１における視聴回避設定回路９内のＶＨＦ帯放送に対する視聴回避設定回路の具体的な構成例を示す回路図である。
【図３】同じくＵＨＦ帯放送に対する視聴回避設定回路の具体的な構成例を示す回路図である。
【図４】同じくＢＳ／ＣＳ帯放送に対する視聴回避設定回路の具体的な構成例を示す回路図である。
【図５】同じくケーブルＴＶ放送に対する視聴回避設定回路の具体的な構成例を示す回路図である。
【符号の説明】
【００４１】
１：ＶＨＦ帯放送受信回路
２：ＵＨＦ帯放送受信回路
３：ＢＳ／ＣＳ帯放送受信回路
４：ケーブルTV放送受信回路
５：ＶＨＦ帯放送選局回路
６：ＵＨＦ帯放送選局回路
７：ＢＳ／ＣＳ帯放送選局回路
８：ケーブルＴＶ放送選局回路
９，９Ａ，９Ｂ，９Ｃ，９Ｄ：視聴回避設定回路
１０：復調回路
１１：音声装置
１２：文字表示装置
１３：映像表示装置
２１：ＶＨＦアンテナ
２２：ＵＨＦアンテナ
２３：ＢＳ／ＣＳアンテナ
２４：伝送ケーブル
３１〜３４：出力回路
【図１】
0003138691.tif 000003
【図２】
0003138691.tif 000004
【図３】
0003138691.tif 000005
【図４】
0003138691.tif 000006
【図５】
0003138691.tif 000007